(57)【要約】【課題】  本発明は、様々な電子機器と接続し得る可搬型メモリ装置を提案する。【解決手段】  外部機器と物理的及び電気的に接続するためのプラグを有し、当該プラグを介して接続された外部機器からの要求に応じて、当該外部機器から与えられるデータを記憶し又は記憶したデータを外部機器に出力する可搬型のメモリ装置において、それぞれ異なる規格のプラグが複数設けるようにしたことにより、それぞれ異なる規格のプラグを、複数の外部機器に搭載されたそれぞれ異なる規格のプラグに対応するレセプタクルに挿入することができ、かくして様々な電子機器と接続し得る可搬型メモリ装置を実現できる。【選択図】        図１
2006018687.tif 000002
【特許請求の範囲】
【請求項１】
外部機器と物理的及び電気的に接続するためのプラグを有し、当該プラグを介して接続された外部機器からの要求に応じて、当該外部機器から与えられるデータを記憶し又は記憶した上記データを上記外部機器に出力する可搬型のメモリ装置において、
それぞれ異なる規格の上記プラグが複数設けられた
ことを特徴とする可搬型メモリ装置。
【請求項２】
上記複数のプラグのうちの任意の１つのプラグのみを露出させるように、移動自在に設けられたカバー部
を具えることを特徴とする請求項１に記載の可搬型メモリ装置。
【請求項３】
いずれかの上記プラグを介して上記外部機器が物理的に検出されたことを検出する検出手段と、
上記検出手段によって上記外部機器との上記物理的な接続が検出された１つの上記プラグについてのみを、上記外部機器と電気的に接続する接続手段と
を具えることを特徴とする請求項１に記載の可搬型メモリ装置。
【発明の詳細な説明】
【技術分野】
【０００１】
本発明は、可搬型メモリ装置に関し、例えばＵＳＢ（Universal Serial Bus）通信機能を具えたメモリ装置に適用して好適なものである。
【背景技術】
【０００２】
現在、パーソナルコンピュータ等の電子機器とマウスやキーボード等のデバイス機器とを接続させるインターフェースとして、ＵＳＢ−ＩＦ（USB Implementers Forum）によって仕様策定が行われているシリアルインターフェイス規格であるＵＳＢ規格が広く採用されている。
【０００３】
このＵＳＢ規格は、デバイス機器に搭載された図９（Ａ）のような電源用端子２、アース用端子３、第１のデータ通信用端子４及び第２のデータ通信用端子５の４つの端子が設けられてなるＵＳＢの標準Ａプラグ（以下、これを標準Ａプラグ呼ぶ）１を、パーソナルコンピュータ等の電子機器に搭載されたＵＳＢの標準Ａレセプタクル（以下、これを標準Ａレセプタクルと呼ぶ）に嵌め込むようにして挿入することによって、電子機器をホストとして、これら電子機器とデバイス機器とをＵＳＢ接続し得るようになされたものである。
【０００４】
また近年では、このようなパーソナルコンピュータへのＵＳＢ規格の普及に伴って、一端側に標準Ａプラグ１が搭載された可搬型のＵＳＢメモリが広く流通している。
【０００５】
かかる可搬型のＵＳＢメモリは、パーソナルコンピュータに搭載されている標準Ａレセプタクルに標準Ａプラグ１を嵌め込むようにして挿入し、パーソナルコンピュータとＵＳＢ接続することによって、パーソナルコンピュータからの要求に応じて、標準Ａプラグ１を介して当該パーソナルコンピュータから与えられるデータを記憶し又は記憶したデータをパーソナルコンピュータに出力することができるようになされている（例えば特許文献１参照）。
【特許文献１】特開２００４−７８８７９公報
【発明の開示】
【発明が解決しようとする課題】
【０００６】
ところで、最近ではＵＳＢの追加規格として仕様策定されたＯＴＧ規格（USB On-The-Go）によって、標準Ａプラグや標準Ａレセプタクルに比して小型化されたＵＳＢの標準ミニＡプラグ（以下、これを標準ミニＡプラグと呼ぶ）、ＵＳＢの標準ミニＡレセプタクル及びホストとしてもデバイスとしても機能するデュアルロールデバイスに搭載される標準ミニＡＢレセプタクル（以下、これを標準ミニＡＢレセプタクルと呼ぶ）等の新しい形状のプラグ及びレセプタクルが登場している。
【０００７】
このＯＴＧ規格においては、例えばディジタルスチルカメラ等の可搬型の電子機器に標準ミニＡＢレセプタクルを搭載したときに、デバイス機器に搭載された図９（Ｂ）のような電源用端子７、アース用端子８、第１のデータ通信用端子９、第２のデータ通信用端子１０及び識別端子１１の５つの端子が設けられてなる標準ミニＡプラグ６を、電子機器に搭載された標準ミニＡＢレセプタクルに嵌め込むようにして挿入することによって、電子機器をホストとして、これら電子機器とデバイス機器とをＵＳＢ接続することができる。
【０００８】
またＯＴＧ規格では、標準Ａレセプタクルが搭載されたパーソナルコンピュータ等の第１の電子機器及び標準ミニＡＢレセプタクルが搭載されたディジタルスチルカメラ等の可搬型の第２の電子機器間を接続する接続ケーブルを介して、ホストである第１の電子機器と接続することによって、第２の電子機器をデバイスとして、これら第１の電子機器と第２の電子機器とをＵＳＢ接続することができる。
【０００９】
ここで、ＵＳＢメモリを媒体として第１又は第２の電子機器からデータを記憶し又は記憶したデータを第２の電子機器又は第１の電子機器に出力することができれば、接続ケーブルを持たないような外出先等においても手軽に第１及び第２の電子機器間のデータの受け渡しができるものと考えられる。
【００１０】
しかしながらＵＳＢメモリにおいては、上述のように標準Ａプラグ１が搭載されており、標準ミニＡＢレセプタクルとは互換性がなく、標準ミニＡＢレセプタクルに標準Ａプラグ１を嵌め込ませることができないために、ＵＳＢ接続することができないという問題がある。
【００１１】
そして、ディジタルスチルカメラ等の可搬型の第２の電子機器に標準ミニＡＢレセプタクルの他にさらに標準Ａレセプタクルを搭載するのは、小型化が急速に進む現在のディジタルスチルカメラ等の可搬型の第２の電子機器には導入が難しいという問題がある。
【００１２】
本発明は以上の点を考慮してなされたもので、様々な電子機器と接続し得る可搬型メモリ装置を提案するものである。
【課題を解決するための手段】
【００１３】
かかる課題を解決するために本発明においては、外部機器と物理的及び電気的に接続するためのプラグを有し、当該プラグを介して接続された外部機器からの要求に応じて、当該外部機器から与えられるデータを記憶し又は記憶したデータを外部機器に出力する可搬型のメモリ装置において、それぞれ異なる規格のプラグを複数設けるようにした。
【００１４】
従って、それぞれ異なる規格のプラグを、複数の外部機器に搭載されたそれぞれ異なる規格のプラグに対応するレセプタクルに挿入することができる。
【発明の効果】
【００１５】
以上のように本発明によれば、外部機器と物理的及び電気的に接続するためのプラグを有し、当該プラグを介して接続された外部機器からの要求に応じて、当該外部機器から与えられるデータを記憶し又は記憶したデータを外部機器に出力する可搬型のメモリ装置において、それぞれ異なる規格のプラグを複数設けるようにしたことにより、それぞれ異なる規格のプラグを、複数の外部機器に搭載されたそれぞれ異なる規格のプラグに対応するレセプタクルに挿入することができ、かくして様々な電子機器と接続し得る可搬型メモリ装置を実現できる。
【発明を実施するための最良の形態】
【００１６】
以下図面について、本発明の一実施の形態を詳述する。
【００１７】
（１）第１の実施の形態
（１−１）第１の実施の形態によるＵＳＢメモリの構成
図１において、２０は全体として本実施の形態によるＵＳＢメモリを示し、本体部２１を覆うようにカバー部２２がスライド自在に配設されることにより構成されている。
【００１８】
本体部２１においては、図２に示すように、直方体状に形成された本体部筐体２３の長手方向の一端側２３Ａに標準Ａプラグ１が配設されると共に、当該本体部筐体２３の他端側２３Ｂに標準ミニＡプラグ６が配設されることにより構成されている。これによりＵＳＢメモリ２０においては、図３に示すように、標準Ａレセプタクル２４が搭載されたパーソナルコンピュータ等の第１の電子機器２５に対しては、当該標準Ａレセプタクル２４に標準Ａプラグ１を嵌め込む一方（図３（Ａ））、標準ミニＡＢレセプタクル２６が搭載されたディジタルスチルカメラ等の第２の電子機器２７に対しては、当該標準ミニＡＢレセプタクル２６に標準ミニＡプラグ６を嵌め込むようにして（図３（Ｂ））、これらの第１の電子機器２５及び第２の電子機器２７に物理的及び電気的に接続することができるようになされている。
【００１９】
一方、カバー部２２においては、図２（Ｂ）からも明らかなように、全体として角筒状に形成されている。そしてカバー部２２の内側の高さｈ１及び幅Ｗ１はそれぞれ本体部２１の本体部筐体２３の高さｈ２及び幅Ｗ２よりも僅かに大きく形成されており、これにより図１のように本体部２１とカバー部２２内とを嵌め合わせた状態において、本体部２１に対してカバー部２２をその長手方向に自在にスライドさせることができるようになされている。
【００２０】
この場合において、カバー部２２の長さＬ１は、本体部２１における本体部筐体２３の他端側２３Ｂから標準Ａレセプタクル２４の先端部までの長さＬ２と、本体部２１における本体部筐体２３の一端側２３Ａから標準ミニＡＢレセプタクル２６の先端までの長さＬ３とのいずれよりも長くなるように選定されている。
【００２１】
これによりこのＵＳＢメモリ２０においては、図１（Ａ）又は図１（Ｂ）のようにカバー部２２を矢印ａ方向又は矢印ａ方向と逆方向にスライドさせることによって、本体部２１の標準Ａプラグ１又は標準ミニＡプラグ６のいずれか一方のみを第１の電子機器２５又は第２の電子機器２７に搭載された標準Ａレセプタクル２４又は標準ミニＡＢレセプタクル２６と接続可能な状態に露出させる一方で、このとき他方の標準ミニＡプラグ１又は標準Ａプラグ６を第２の電子機器２７又は第１の電子機器２５に搭載された標準ミニＡＢレセプタクル２６又は標準Ａレセプタクル２４と接続不可能な状態にカバー部２２の長手方向の他端部又は一端部において覆い隠すことができるようになされている。
【００２２】
また本体部２１における本体部筐体２３の第１の側面２３Ｃ及びこれと対向する第２の側面２３Ｄの各一端部には、それぞれその第１の側面２３Ｃ及び第２の側面２３Ｄの法線方向と垂直な方向に移動自在に、かつ図示しないコイルバネにより当該法線方向に付勢されるようにして、金属材からなる半球状の第１の突起２８Ａ、２８Ｂが配設されると共に、カバー部２２の内側面２２Ａには、これら各第１の突起２８Ａ、２８Ｂにそれぞれ対向させて、第１の突起２８Ａ、２８Ｂよりも僅かに大きい半球形状の第１の窪み２９Ａ、２９Ｂが設けられている。
【００２３】
この場合これら第１の窪み２９Ａ、２９Ｂは、図１（Ａ）のように標準Ａプラグ１が完全に露出した所定の位置にカバー部２２を位置させたときに、対応する第１の突起２８Ａ、２８Ｂと対向するように、それぞれその形成位置が選定されている。
【００２４】
これによりこのＵＳＢメモリ２０においては、カバー部２２をこの位置にまでスライドさせたときに、本体部２１の各第１の突起２８Ａ、２８Ｂがそれぞれカバー部２２の対応する第１の窪み２９Ａ、２９Ｂに嵌まり込むことによって、カバー部２２をこの位置に固定することができるようになされている。
【００２５】
同様に本体部２１における本体部筐体２３の第１の側面２３Ｃ及び第２の側面２３Ｄの各他端部には、それぞれその第１の側面２３Ｃ及び第２の側面２３Ｄの法線方向と垂直な方向に移動自在に、かつ図示しないコイルバネにより当該法線方向に付勢されるようにして、金属材からなる半球状の第２の突起３０Ａ、３０Ｂが配設されると共に、カバー部２２の内側面２２Ａには、これら各第２の突起３０Ａ、３０Ｂにそれぞれ対向させて、第２の突起３０Ａ、３０Ｂよりも僅かに大きい半球形状の第２の窪み３１Ａ、３１Ｂが設けられている。
【００２６】
この場合これら第２の窪み３１Ａ、３１Ｂは、図１（Ｂ）のように標準ミニＡプラグ６が完全に露出した所定の位置にカバー部２２を位置させたときに、対応する第２の突起３０Ａ、３０Ｂと対向するように、それぞれその形成位置が選定されている。
【００２７】
これによりこのＵＳＢメモリ２０においては、カバー部２２をこの位置にまでスライドさせたときに、本体部２１の各第２の突起３０Ａ、３０Ｂがそれぞれカバー部２２の対応する第２の窪み３１Ａ、３１Ｂに嵌まり込むことによって、カバー部２２をこの位置に固定することができるようになされている。
【００２８】
さらにカバー部２２の内側面２２Ａには、図２（Ｂ）のように第１の窪み２９Ａ、２９Ｂ及び第２の窪み３１Ａ、３１Ｂ間に、これら第１の窪み２９Ａ、２９Ｂ及び第２の窪み３１Ａ、３１Ｂの深さに比して浅い深さのガイド溝３２Ａ、３２Ｂが形成されており、これにより、図４（Ａ）又は図４（Ｂ）のようにカバー部２２を矢印ａ方向又は矢印ａ方向と逆方向にスライドさせるときに、第１の突起２８Ａ、２８Ｂ及び第２の突起３０Ａ、３０Ｂをガイド溝３２Ａ、３２Ｂに沿って滑らかに摺動させることができるようになされている。
【００２９】
さらに本体部２１における本体部筐体２３の第１の側面２３Ｃ及び第２の側面２３Ｄに対して法線方向に形成される第３の側面２３Ｅには、所定の位置に表示ＬＥＤ（Light Emitting Diode）３３が配設される一方、カバー部２２の一側面２２Ｂには、カバー部２２を矢印ａ方向又は矢印ａ方向と逆方向にスライドさせて標準Ａプラグが完全に露出するような位置又は標準ミニＡプラグが完全に露出するような位置に固定させたときに、表示ＬＥＤ３３をそれぞれ露出させるような位置に所定形状の第１の窓穴３４Ａ及び第２の窓穴３４Ｂが穿設されている。これによりこのＵＳＢメモリにおいては、カバー部２２を矢印ａ方向にスライドさせて標準Ａプラグ１が完全に露出するような位置にカバー部２２を固定させたときに、第１の窓穴３４Ａを通じて表示ＬＥＤ３３を露出させることができ、カバー部２２矢印ａ方向と逆方向にスライドさせて標準ミニＡプラグ６が完全に露出するような位置にカバー部２２を固定させたときに、第２の窓穴３４Ｂを通じて表示ＬＥＤ３３を露出させることができるようになされている。
【００３０】
ここで図６は、本体部２１における本体部筐体２３の内部構成を示すものである。この図６からも明らかなように、本体部２１においては、当該ＵＳＢメモリ２０全体の動作制御を司るＣＰＵ（Central Processing Unit）３５と、各種制御プログラムが格納されたＲＯＭ（Read Only Memory）３６と、ＣＰＵ３５のワークメモリとしてのＲＡＭ（Random Access Memory）３７と、不揮発性メモリからなる記憶部３８と、上述の表示ＬＥＤ３３と、ＵＳＢデバイスコントローラ３９がバス４０を通じて相互に接続され、ＵＳＢデバイスコントローラ３９に標準Ａプラグ１及び標準ミニＡプラグ６が電源ラインVbus、アースラインGND及びデータ通信ラインＤ−、Ｄ＋を通じて並列に接続されることにより構成されている。
【００３１】
この場合ＣＰＵ３５は、標準Ａプラグ１がパーソナルコンピュータ等の第１の電子機器２５に搭載された標準Ａレセプタクル２４に嵌め込まれたときに、当該第１の電子機器２５から標準Ａプラグ１の電源ラインVbus及びＵＳＢデバイスコントローラ３９を介して供給される電流を検出すると、ＵＳＢデバイスコントローラ３９を制御して標準Ａプラグ１のデータ通信ラインＤ−、Ｄ＋をプルアップさせることにより、ＵＳＢデバイスコントローラ３９を当該第１の電子機器２５と通信可能な状態にＵＳＢ接続させる。
【００３２】
そしてＣＰＵ３５は、この後ＵＳＢデバイスコントローラ３９を介して第１の電子機器２５からの書込み要求を受信すると、ＵＳＢデバイスコントローラ３９を制御することにより、その後第１の電子機器２５から送信されるデータを記憶部３８に与えてこれを記憶させる一方、ＵＳＢデバイスコントローラ３９を介して第１の電子機器２５からの読出し要求を受信すると、ＵＳＢデバイスコントローラ３９を制御することにより、指定されたデータを記憶部３８から読み出させて、これを標準Ａプラグ１を介して第１の電子機器２５に送信させる。
【００３３】
これと同様にして、ＣＰＵ３５は、標準ミニＡプラグ６がディジタルスチルカメラ等の第２の電子機器２７に搭載された標準ミニＡＢレセプタクル２６に嵌め込まれたときに、当該第２の電子機器２７から標準ミニＡプラグ６の電源ラインVbus及びＵＳＢデバイスコントローラ３９を介して供給される電流を検出すると、ＵＳＢデバイスコントローラ３９を制御して標準ミニＡプラグ６のデータ通信ラインＤ−、Ｄ＋をプルアップさせることにより、ＵＳＢデバイスコントローラ３９を当該第２の電子機器２７と通信可能な状態にＵＳＢ接続させる。
【００３４】
そしてＣＰＵ３５は、この後デバイスコントローラ３９を介して第２の電子機器２７からの書込み要求を受信すると、ＵＳＢデバイスコントローラ３９を制御することにより、その後第２の電子機器２７から送信されるデータを記憶部３８に与えてこれを記憶させる一方、ＵＳＢデバイスコントローラ３９を介して第２の電子機器２７からの読出し要求を受信すると、ＵＳＢデバイスコントローラ３９を制御することにより、指定されたデータを記憶部３８から読み出させて、これを標準ミニＡプラグ６を介して第２の電子機器２７に送信させる。
【００３５】
このようにしてこのＵＳＢメモリ２０においては、標準Ａプラグ１又は標準ミニＡプラグ６が第１の電子機器２５又は第２の電子機器２７に搭載された標準Ａレセプタクル２４又は標準ミニＡＢレセプタクル２６に嵌め込まれたときに、パーソナルコンピュータからの要求に応じて、標準Ａプラグ１又は標準ミニＡプラグ６を介して当該パーソナルコンピュータから与えられるデータを記憶し又は記憶したデータをパーソナルコンピュータに送信することができるようになされている
【００３６】
なおＣＰＵ３５は、第１の電子機器２５又は第２の電子機器２７とＵＳＢ接続したときに、表示ＬＥＤ３３に対して駆動電圧の供給を開始することによって当該表示ＬＥＤ３３を点灯させる一方、その後第１の電子機器２５又は第２の電子機器２７とのＵＳＢ接続が切断されたときに、かかる表示ＬＥＤ３３への駆動電圧の供給を停止することによって当該表示ＬＥＤ３３を消灯させるようになされている。
【００３７】
（１−２）第１の実施の形態による動作及び効果
以上の構成において、このＵＳＢメモリ２０は、カバー部２２を図１（Ａ）の位置にまでスライドさせて標準Ａプラグ１を露出させることによって当該標準Ａプラグ１を介して第１の電子機器２５とＵＳＢ接続することができ、またカバー部２２を図１（Ｂ）の位置にまでスライドさせて標準ミニＡプラグ６を露出させることによって、当該標準ミニＡプラグ６を介して第２の電子機器２７とＵＳＢ接続することができる。
【００３８】
この場合において、カバー部２２を図１（Ａ）の位置に位置させた状態では、標準ミニＡプラグ６がカバー部２２によって覆われているために、第２の電子機器２７と接続不可能な状態にし、またカバー部２２を図１（Ｂ）の位置に位置させた状態では、標準Ａプラグ１がカバー部２２によって覆われているために、第１の電子機器２５と接続不可能な状態にすることによって、択一的に第１の電子機器２５又は第２の電子機器２７のみとＵＳＢ接続することができる。
【００３９】
以上の構成によれば、カバー部２２を図１（Ａ）の位置にまでスライドさせて標準Ａプラグ１を露出させることによって当該標準Ａプラグ１を介して第１の電子機器２５とＵＳＢ接続することができ、またカバー部２２を図１（Ｂ）の位置にまでスライドさせて標準ミニＡプラグ６を露出させることによって、当該標準ミニＡプラグ６を介して第２の電子機器２７とＵＳＢ接続することができ、かくして様々な電子機器に接続することができる。
【００４０】
また、カバー部２２を図１（Ａ）の位置に位置させた状態では、標準ミニＡプラグ６がカバー部２２によって覆われているために、第２の電子機器２７と接続不可能な状態にし、またカバー部２２を図１（Ｂ）の位置に位置させた状態では、標準Ａプラグ１がカバー部２２によって覆われているために、第１の電子機器２５と接続不可能な状態にすることによって、択一的に第１の電子機器２５又は第２の電子機器２７とＵＳＢ接続することができ、かくして２重接続による記憶データの破損等を防止することができる。
【００４１】
（２）第２の実施の形態
（２−１）第２の実施の形態によるＵＳＢメモリの構成
図１との対応部分に同一符号を付して示す図６は、第２の実施の形態におけるＵＳＢメモリ５０を示し、上述した第１の実施の形態におけるＵＳＢメモリ１（図１）と、電気的制御によって第１の電子機器２５又は第２の電子機器２７と排他的に接続させることを除いて同様に構成されている。
【００４２】
実際上このＵＳＢメモリ５０においては、直方体形状に形成された筐体５１の一端側５１Ａ及び他端側５１Ｂにそれぞれ標準Ａプラグ１及び標準ミニＡプラグ６が配設されることにより構成されており、当該筐体５１の一側面５１Ｃには表示ＬＥＤ３３が配設されている。このようにこのＵＳＢメモリ５０には、第１の実施の形態によるＵＳＢメモリ１のようなカバー部２２が設けられていない。
【００４３】
また筐体５１の内部には、図５との対応部分に同一符号を付した図７に示すように、標準Ａプラグ１及び標準ミニＡプラグ６にそれぞれ対応させて第１のＵＳＢデバイスコントローラ５２及び第２のＵＳＢデバイスコントローラ５３が配設されている。
【００４４】
そして標準Ａプラグ１においては、各データ通信ラインＤ−１、Ｄ＋１及びアースラインGND１がそれぞれ第１のＵＳＢデバイスコントローラ５２と接続されると共に、標準Ａプラグ１の電源ラインVbus１がＣＰＵ３５と接続され、標準ミニＡプラグ６においては、各データ通信ラインＤ−２、Ｄ＋２及びアースラインGND２がそれぞれ第２のＵＳＢデバイスコントローラ５３と接続されると共に、標準ミニＡプラグ６の電源ラインVbus２がＣＰＵ３５と接続されている。
【００４５】
この場合ＣＰＵ３５は、標準Ａプラグ１がパーソナルコンピュータ等の第１の電子機器２５に搭載された標準Ａレセプタクル２４に嵌め込まれたときに、当該第１の電子機器２５から標準Ａプラグ１の電源ラインVbus１を介して供給される電流を検出すると、第１のＵＳＢデバイスコントローラ５２を制御して標準Ａプラグ１のデータ通信ラインＤ−１、Ｄ＋１をプルアップさせることにより、第１のＵＳＢデバイスコントローラ５２を当該第１の電子機器２５と通信可能な状態にＵＳＢ接続させる。
【００４６】
そしてＣＰＵ３５は、その後標準ミニＡプラグ６がディジタルスチルカメラ等の第２の電子機器２７に搭載された標準ミニＡＢレセプタクル２６に嵌め込まれたときに、当該第２の電子機器２７から標準ミニＡプラグ６の電源ラインVbus２を介して供給される電流を検出しても、第１の電子機器２５とＵＳＢ接続されている間は、第２の電子機器２７とＵＳＢ接続しない。
【００４７】
これと同様にして、ＣＰＵ３５は、標準ミニＡプラグ６が第２の電子機器２７に搭載された標準ミニＡＢレセプタクル２６に嵌め込まれたときに、当該第２の電子機器２７から標準ミニＡプラグ６の電源ラインVbus２を介して供給される電流を検出すると、第２のＵＳＢデバイスコントローラ５３を制御して標準ミニＡプラグ６のデータ通信ラインＤ−２、Ｄ＋２をプルアップさせることにより、第２のＵＳＢデバイスコントローラ５３を当該第２の電子機器２７と通信可能な状態にＵＳＢ接続させる。
【００４８】
そしてＣＰＵ３５は、その後標準Ａプラグ１が第１の電子機器２５に搭載された標準Ａレセプタクル２４に嵌め込まれたときに、当該第１の電子機器２５から標準Ａプラグ１の電源ラインVbus１を介して供給される電流を検出しても、第２の電子機器２７とＵＳＢ接続されている間は、第１の電子機器２５とＵＳＢ接続しない。
【００４９】
（２−２）ＣＰＵ３５のＵＳＢ接続処理手順
ここで、上述のようなＣＰＵ３５による排他的なＵＳＢ接続処理は、予めＲＯＭ３６に格納された制御プログラムに基づき、図８に示すＵＳＢ接続処理手順ＲＴ１に従って行われる。
【００５０】
すなわちＣＰＵ３５は、一方の電源ラインVbus１又は電源ラインVbus２を介して電流を検出するとこのＵＳＢ接続処理手順ＲＴ１をステップＳＰ０において開始し、続くステップＳＰ１において、他方の電源ラインVbus２又は電源ラインVbus１を介して電流が検出されている、つまりすでに標準ミニＡプラグ６又は標準Ａプラグ１を介して他方の第２の電子機器２７又は第１の電子機器２５とＵＳＢ接続されているか否かを判断する。
【００５１】
そしてＣＰＵ３５は、このステップＳＰ１において否定結果を得るとステップＳＰ２に進み、対応する第１のＵＳＢデバイスコントローラ５２又は第２のＵＳＢデバイスコントローラ５３を制御して、標準Ａプラグ１又は標準ミニＡプラグ６のデータ通信ラインＤ＋１、Ｄ−１又はデータ通信ラインＤ＋２、Ｄ−２をプルアップさせてＵＳＢ接続処理を開始する。
【００５２】
これに対してＣＰＵ３５は、このステップＳＰ１において肯定結果を得るとステップＳＰ３に進み、対応する第１のＵＳＢデバイスコントローラ５２又は第２のＵＳＢデバイスコントローラ５３を制御せず、データ通信ラインＤ＋１、Ｄ−１又はデータ通信ラインＤ＋２、Ｄ−２をプルアップさせずに、ＵＳＢ接続処理を行わない。そしてＣＰＵ３５は、この後ステップＳＰ４に進んでこのＵＳＢ接続処理手順ＲＴ１を終了する。
【００５３】
このようにしてＵＳＢメモリ５０においては、先にVbus１を介して電流を検出したときに、標準Ａプラグ１を介して第１の電子機器２５のみとＵＳＢ接続し、先にVbus２を介して電流を検出したときに、標準ミニＡプラグ６を介して第２の電子機器２７のみとＵＳＢ接続することができるようになされている。
【００５４】
（２−３）第２の実施の形態による動作及び効果
以上の構成において、ＵＳＢメモリ５０は、ＣＰＵ３５において一方の電源ラインVbus１又は電源ラインVbus２を介して電流を検出したときに、他方の電源ラインVbus２又は電源ラインVbus１を介して電流が検出されているか否かを判断する。
【００５５】
これによりＵＳＢメモリ５０は、先に電流を検出した第１の電子機器２５又は第２の電子機器２７のみと標準Ａプラグ１又は標準ミニＡプラグ６を介して択一的にＵＳＢ接続することができる。
【００５６】
以上の構成によれば、ＣＰＵ３５において一方の電源ラインVbus１又は電源ラインVbus２を介して電流を検出したときに、他方の電源ラインVbus１又は電源ラインVbus２を介して電流が検出されているか否かを判断することにより、先に電流を検出した第１の電子機器２５又は第２の電子機器２７のみと標準Ａプラグ１又は標準ミニＡプラグ６を介して択一的にＵＳＢ接続することができ、かくして２重接続による記憶データの破損等を防止することができる。
【００５７】
（３）他の実施の形態
なお上述の実施の形態においては、本体部筐体２３の長手方向の一端側２３Ａに標準Ａプラグ１を配設し、当該本体部筐体２３の他端側２３Ｂに標準ミニＡプラグ６を配設した場合について述べたが、本発明はこれに限らず、その他種々の位置に配設するようにしても良く、また２以上の複数のプラグを配設するようにしても良い。このときＵＳＢメモリは、これら２以上の複数のプラグのうち１つのプラグを物理的又は電気的に択一的にＵＳＢ接続させることができる。
【００５８】
また上述の実施の形態においては、本体部筐体２３の長手方向の一端側２３Ａに標準Ａプラグ１を配設し、当該本体部筐体２３の他端側２３Ｂに標準ミニＡプラグ６を配設した場合について述べたが、本発明はこれに限らず、ＵＳＢの標準Ａプラグや標準ミニＡプラグ以外の種々の異なる規格によって仕様策定されているプラグを配設するようにしても良い。
【００５９】
さらに上述の実施の形態においては、パーソナルコンピュータ等の第１の電子機器２５に搭載された標準Ａレセプタクル２４に標準Ａプラグ１を嵌め込むように挿入し、物理的及び電気的に接続した場合について述べたが、本発明はこれに限らず、パーソナルコンピュータ以外の種々の電子機器に適用するようにしても良く、また挿入されるプラグに対応する標準Ａレセプタクル以外の種々のレセプタクルを搭載するようにしても良い。
【００６０】
さらに上述の実施の形態においては、ディジタルスチルカメラ等の第２の電子機器２７に搭載された標準ミニＡレセプタクル２６に標準ミニＡプラグ６を挿入し、物理的及び電気的に接続した場合について述べたが、本発明はこれに限らず、ディジタルスチルカメラ以外の種々の電子機器に適用するようにしても良く、また挿入されるプラグに対応する標準ミニＡＢレセプタクル以外の種々のレセプタクルを搭載するようにしても良い。
【００６１】
さらに上述の実施の形態においては、パーソナルコンピュータ等の第１の電子機器２５に搭載された標準Ａレセプタクル２４及びディジタルスチルカメラ等の第２の電子機器２７に搭載された標準ミニＡレセプタクル２６を適用した場合について述べたが、本発明はこれに限らず、これら複数の電子機器にそれぞれ搭載されるこの他種々の異なる規格の挿入されるプラグに対応する複数のレセプタクルを配設するようにしても良い。
【００６２】
さらに上述の実施の形態においては、カバー部２２をスライドさせ、又は電気的制御によって、択一的にＵＳＢ接続を行った場合について述べたが、本発明はこれに限らず、これらの両方を同時に適用するようにしても良い。
【００６３】
さらに上述の実施の形態においては、ＣＰＵ３５において電流を検出し、先に電流を検出した第１の電子機器２５又は第２の電子機器２７のみと択一的にＵＳＢ接続を行った場合について述べたが、本発明はこれに限らず、例えば電子機器との接続を検出する等、電流以外の物理的接続を検出して、検出された電子機器のみと電気的に接続をするようにしても良い。
【００６４】
さらに上述の実施の形態においては、第１の電子機器２５又は第２の電子機器２７とＵＳＢ接続したときに、当該表示ＬＥＤ３３を点灯させる一方、その後第１の電子機器２５又は第２の電子機器２７とのＵＳＢ接続が切断されたときに、当該表示ＬＥＤ３３を消灯させた場合について述べたが、本発明はこれに限らず、例えばデータ通信時に表示ＬＥＤを点灯させるようにしても良く、この他種々の動作を表すシグナルとして適用するようにしても良い。
【００６５】
さらに上述の実施の形態においては、全体として角筒状に形成されている。そしてカバー部２２の内側の高さｈ１及び幅Ｗ１はそれぞれ本体部２１の本体部筐体２３の高さｈ２及び幅Ｗ２よりも僅かに大きく形成した場合について述べたが、本発明はこれに限らず、例えばスライドさせたときに、シャッタが連動して動作して他のプラグを完全に遮蔽させるようにしても良く、要は、カバー部を移動させてあるプラグを露出させたときに、他のプラグを使用不可能の状態にさせるこの他種々の構成を適用することができる。
【００６６】
さらに上述の実施の形態においては、記憶部３８にデータを格納させる場合について述べたが、本発明はこれに限らず、例えば不揮発性のフラッシュメモリ等からなるこの他種々の記録媒体に適用することができる。
【００６７】
さらに上述の実施の形態においては、先にVbus１を介して電流を検出したときに、標準Ａプラグ１を介して第１の電子機器２５のみとＵＳＢ接続し、先にVbus２を介して電流を検出したときに、標準ミニＡプラグ６を介して第２の電子機器２７のみとＵＳＢ接続した場合について述べたが、本発明はこれに限らず、例えば後に電流を検出した電子機器と電気的に接続するようにしても良く、要は、物理的な接続が検出された１つのプラグのみを、外部機器と電気的に接続するようにしても良い。
【産業上の利用可能性】
【００６８】
本発明は、ＵＳＢ規格に基づいたプラグを用いた可搬型メモリ装置の他、種々の異なる規格によって仕様策定されている複数のプラグを用いた可搬型メモリ装置に適用することができる。
【図面の簡単な説明】
【００６９】
【図１】第１の実施の形態によるＵＳＢメモリの構成を示す略線図である。
【図２】標準Ａプラグと標準ミニＡプラグの構成を示す略線図である。
【図３】ＵＳＢメモリの挿入の説明に供する略線図である。
【図４】本体部とカバー部の構成を示す略線図である。
【図５】ＵＳＢメモリのスライド機構の説明に供する断面図である。
【図６】第１の実施の形態によるＵＳＢメモリの内部構成を示す略線図である。
【図７】第２の実施の形態によるＵＳＢメモリの構成を示す略線図である。
【図８】第２の実施の形態によるＵＳＢメモリの内部構成を示す略線図である。
【図９】ＵＳＢ接続処理手順を示すフローチャートである。
【符号の説明】
【００７０】
１……標準Ａプラグ、６……標準ミニＡプラグ、２０、５０……ＵＳＢメモリ、２１……本体部、２２……カバー部、２３……本体部筐体、２４……標準Ａレセプタクル、２５……第１の電子機器、２６……標準ミニＡＢレセプタクル、２７……第２の電子機器、２８Ａ、２８Ｂ……第１の突起、２９Ａ、２９Ｂ……第１の窪み、３０Ａ、３０Ｂ……第２の突起、３１Ａ、３１Ｂ……第２の窪み、３２Ａ、３２Ｂ……ガイド溝、３５……ＣＰＵ、３９……ＵＳＢデバイスコントローラ、５１……筐体、５２……第１のＵＳＢデバイスコントローラ、５３……第２のＵＳＢデバイスコントローラ。
【図１】
2006018687.tif 000003
【図２】
2006018687.tif 000004
【図３】
2006018687.tif 000005
【図４】
2006018687.tif 000006
【図５】
2006018687.tif 000007
【図６】
2006018687.tif 000008
【図７】
2006018687.tif 000009
【図８】
2006018687.tif 000010
【図９】
2006018687.tif 000011